(57)【要約】【課題】通信品質を確保しつつスループットの低減を削減したデータ転送システムの提供を目的とする。【解決手段】無線フレームのパケット内のデータ部１０３にエラー訂正符号１０４を挿入するとともに、データ部１０３内にエラー訂正符号１０４として蓄えられた情報を、通信状態に応じて、増減させ、通信エラーに強いエラー訂正符号１０４の情報量の強化によるパケット構造を生成することで、通信状況に応じた適応的なエラー耐性を適応したことにより、データスループットの低下を抑えたシステムを提供するものである。【選択図】図１
2005303495.tif 000002
【特許請求の範囲】
【請求項１】
受信側のクロックと同期するためのプリアンブル部と、パケット内の制御情報を示すヘッダ部と、画像、音声、ファイル等の送信データが格納されるデータ部等で構成されたフレームのパケット構造を有するデータ転送システムであって、前記データ部内にエラー訂正用符号を通信状態に応じて増減させて蓄えることを特徴とするデータ転送システム。
【請求項２】
請求項１記載のデータ転送システムにおいて、受信機側でデータを解析する際、エラー訂正処理によるエラー情報量をモニタし、受信確認用パケット内に受信状況のエラーモニタ情報を送信側に送ることで、送信側でのエラー訂正コード情報の増減を制御し、受信状況に応じたエラー訂正コードの強化を柔軟に対応したことを特徴とするデータ転送システム。
【請求項３】
請求項１または２に記載のデータ転送システムにおいて、前記パケット内のヘッダ部に前記パケットのデータ部に施されるエラー訂正用符号の情報長を挿入することで、受信側で前記パケットを受信した際に前記ヘッダ部内のエラー訂正用符号の情報長に基づいてエラー訂正処理を施すことを特徴とするデータ転送システム。
【請求項４】
伝送する信号パケットの生成する処理において、データを複数パケット分パケット生成バッファに蓄積し、横方向にはパケット内のデータ部に収容するデータおよびエラー訂正情報を、また、縦方向にもエラー訂正の生成情報を配置することで、受信時にパケットロスやバースト上のエラーが発生しても、受信用データバッファ内で縦横のエラー訂正処理を行い、情報スループットの低下を招くことのない信号伝送を実現することを特徴とするデータ転送システム。
【請求項５】
請求項４に記載のデータ転送システムにおいて、送信側でパケットを生成するパケット生成バッファの情報配列をＭ系列等のランダムな値を生成するアルゴリズムにて、データ配列をランダムな位置に入力し、受信側ではエラー訂正処理を行った後、送信側と逆の処理でデータを並べ替えることにより、電波障害等のバースト的なデータエラーをランダムな配列に変換し、データ再生時に周辺のデータによる補間処理でデータ復元の精度を上げることを特徴とするデータ転送システム。
【請求項６】
請求項４または５に記載のデータ転送システムにおいて、受信機側でデータを解析する際、パケットデータの受信順番とエラー訂正処理によるエラー状況をモニタし、受信確認用パケット内に受信状況の信号を送信側に送ることで、送信側でのエラー訂正コードの増減およびパケット生成バッファの深さ方向の情報量を制御し、受信状況に応じたランダムなエラーとバースト状のエラーに対して適応的に送信側での訂正コードの強化を柔軟にすることを特徴とするデータ転送システム。
【請求項７】
請求項４から６のいずれかに記載のデータ転送システムにおいて、送信するパケット内のヘッダ情報に前記パケットの信号部に施されるエラー訂正用符号の情報長とパケット生成バッファ内の情報列の順番情報およびＭ系列等のランダム生成アルゴリズム係数情報を挿入することで、受信側で前記パケットを受信した際に前記ヘッダ内のエラー訂正用符号の情報長に基づいてエラー訂正処理を施すことを特徴とするデータ転送システム。
【請求項８】
請求項１から７のいずれかに記載のデータ転送システムにおいて、受信側でエラー訂正処理を施す際、エラー検出で検出されたデータに付加情報を示すフラグを設け、再生時に周辺の相関性の高い情報から補間することにより、画像や音声等の等時性データ転送の品質劣化を極力抑えたことを特徴とするデータ転送システム。
【発明の詳細な説明】
【技術分野】
【０００１】
本発明は、家庭内や小規模オフィスに存在する無線ネットワークシステムなどのデータ通信において、通信路の外乱や電波障害の影響を信号処理によって補い、効率良くデータ通信するためのデータ転送システムに関する。
【背景技術】
【０００２】
近年、ブロードバンド通信の普及にともない、家庭内やオフィスで簡単にネットワークを構築して大量なデータのやりとりを行うことが可能となってきた。また、データを手軽に扱える通信手段として無線による通信が機器の低価格化、および小型化により急速に普及してきている。このような通信技術の発展により、パソコン等の情報データから家庭内の画像、音声データまでの無線通信による情報のやりとりを容易に実現する環境が整いつつある。
【０００３】
しかし、無線通信では、通信環境によってデータ転送の品質が左右され、壁などの障害物や電子レンジ等の外部電波によって所望の電波に乗せた情報の欠如やエラーの発生が顕著である。このような環境下で無線通信データを確実に転送するデータ転送システムの一つとして（特許文献１）に記載されたワイヤレス再生装置がある。この装置について図６のブロック図をもとに説明する。
【０００４】
図６は従来のワイヤレス再生装置のブロック図である。
【０００５】
図６において、６２６は操作部、６２５はコード化処理手段、６２０はコード送信手段、６１９は送信フィルタ、６１４はヘッドホン、６１２は受信アンテナ、６１１はコード受信手段、６１０は制御コード判別手段、６０４は本体制御手段、６０３はテープ駆動手段、６０５はテープ、６０６は増幅器、６０７はＡ／Ｄコンバータ、６０９はデータ送信手段、６１３は送信アンテナ、６１５は受信フィルタ、６１８は受信データ復調手段、６２３はＤ／Ａコンバータ、６２４はパワーアンプである。また、６０２はリモートコントロール装置、６０１は再生装置、６０８は送信データレート変換手段、６２１は受信感度検出手段、６１６は狭帯域フィルタ、６１７は低速受信データ復調手段、６２２は切換スイッチである。
【０００６】
従来の技術におけるワイヤレス再生装置は、リモートコントロール装置６０２と再生装置６０１からなるセパレート構成であり、ワイヤレス化されている。このワイヤレス再生装置の主な特徴としては、受信信号の通常速度の変調信号を復調する受信データ復調手段６１８と、低速度の受信データを復調する低速受信データ復調手段６１７とを備え、受信データ復調手段６１８で得られる受信信号の入力レベルに応じて受信感度検出手段６２１は送信データ速度の切換信号を生成して再生装置６０１に送信し、再生装置６０１は、送信データ速度の切換信号を判別し、送信データレート変換手段６０８で送信データ速度を切り換えるようにした点である。
【０００７】
また、このワイヤレス再生装置では、再生装置６０１からの通常の変調信号をヘッドホン６１４のコードより受信し、受信フィルタ６１５を経由して受信データ復調手段６１８で復調する。復調したデータは切換スイッチ６２２を経由してＤ／Ａコンバータ６２３によりデジタルデータからアナログ信号の音楽信号に変換される。変換した音楽信号はパワーアンプ６２４で増幅してヘッドホン６１４から出力する。また、受信感度検出手段６２１は、受信データ復調手段６１８により復調した信号から電波の強度が適正か否かを判断する。電波の強度が小さいと判断したときは受信感度を高め、音声出力を良好に保てるよ
うに送信データ速度を切り換える切換信号を生成する。この切換信号は、コード化処理手段６２５によりコード化され、コード送信手段６２０により高周波に変調され、送信フィルタ６１９を経由してヘッドホン６１４のコードから再生装置６０１に送信される。送信データ速度の切換信号を受信した再生装置６０１からは、低速度データの変調信号が出力される。低速度の変調信号をヘッドホン６１４のコードより受信し、受信フィルタ６１５及び狭帯域フィルタ６１６を経由して受信感度の高い低速受信データ復調手段６１７で復調する。復調したデータは、切換スイッチ６２２を経由してＤ／Ａコンバータ６２３によりデジタルデータからアナログ信号の音楽信号に変換される。変換した音楽信号はパワーアンプ６２４で増幅され、ヘッドホン６１４から出力される。
【０００８】
このように、従来のデータ転送システムは、受信感度によって送信データレートを切り換えることにより、連続してデータ転送を行うことを実現したものである。
【特許文献１】特開平９−１１６９７９号公報
【発明の開示】
【発明が解決しようとする課題】
【０００９】
しかしながら、従来のシステムは、伝送環境に応じて通信レートを適応的に変化させることで、通信データのＳ／Ｎを向上させ、よりエラーに強いデータでの通信を行うシステムである。その結果、データレートの低下を招く欠点がある。
【００１０】
画像や音声の大容量データの高速リアルタイム通信においては、データレートの低下による視覚、聴覚上の感覚的な品質劣化は不快なものであり、エラー発生の異なる通信状況に対しても一定の品質を確保し、データスループットの低下を極力抑えたシステムを実現するデータ転送方式が求められている。
【００１１】
そこで、本発明は、通信品質を確保しつつスループットの低減を削減したデータ転送システムを提供することを目的とする。
【課題を解決するための手段】
【００１２】
上記課題を解決するために本発明は、無線フレームのパケット構造において、データ部内にエラー訂正用の符号を通信状態に応じて増減させて蓄える構成としたことを特徴とする。
【発明の効果】
【００１３】
本発明によれば、通信エラーに強いエラー訂正用の符号の情報量を強化したパケット構造を生成することができる。これにより、通信状況に応じた少ない情報量のエラー訂正用の符号の付加により、データスループットの極端な低下を招くことなく、通信品質を確保することができる。
【発明を実施するための最良の形態】
【００１４】
本発明の請求項１の発明は、受信側のクロックと同期するためのプリアンブルデータと、パケット内の制御情報を示すヘッダ部と、画像、音声、ファイル等の送信データが格納されるデータ部等で構成されたフレームのパケット構造を有するデータ転送システムであって、データ部内にエラー訂正用符号を、通信状態に応じて増減させて蓄えることを特徴とするデータ通信システムであり、データ部内にエラー訂正用符号を通信状態に応じて増減させて蓄えることにより、通信エラーに強いエラー訂正用符号の情報量を強化したパケット構造を生成することができる。これにより、通信状況に応じたエラー耐性が得られ、データスループットの低下を抑えることができる。
【００１５】
本発明の請求項２に記載のデータ転送システムは、受信機側でデータを解析する際、エ
ラー訂正処理によるエラー情報量をモニタし、受信確認用パケット内に受信状況のエラーモニタ情報を送信側に送ることで、送信側でのエラー訂正コードの増減を制御し、受信状況に応じたエラー訂正コードの強化を柔軟に行うシステムを提供するものである。
【００１６】
本発明の請求項３に記載のデータ転送システムは、パケット内のヘッダ部に前エラー訂正用符号の情報長を挿入することで、受信側で前記パケットを受信した際にヘッダ部内のエラー訂正用符号の情報長に基づいてエラー訂正処理を施すシステムを提供するものである。
【００１７】
本発明の請求項４に記載のデータ転送システムは、データを複数パケット分パケット生成バッファに蓄積し、横方向にはパケット内のデータ部に収容するデータおよびエラー訂正情報を、また、縦方向にもエラー訂正の生成情報を配置することで、受信時にパケットロスやバースト上のエラーが発生しても、受信用データバッファ内で縦横のエラー訂正処理を行い、情報スループットの低下を招くことのない信号伝送を行うシステムを提供するものである。
【００１８】
本発明の請求項５に記載のデータ転送システムは、送信側でパケットを生成するパケット生成バッファの情報配列をＭ系列等のランダムな配置に入力し、受信側ではエラー訂正処理を行った後、送信側と逆の順番でデータを抽出することにより、電波障害等のバースト的なデータエラーに強度を増したシステムを提供するものである。
【００１９】
本発明の請求項６に記載のデータ転送システムは、受信機側でデータを解析する際、パケットデータの受信順番とエラー訂正処理によるエラー状況をモニタし、受信確認用パケット内に受信状況の信号を送信側に送ることで、送信側でのエラー訂正コードの増減およびパケット生成バッファの深さ方向の情報量を制御し、受信状況に応じたランダムなエラーとバースト状のエラーに対して適応的に訂正コードの強化に対応したシステムを提供するものである。
【００２０】
本発明の請求項７に記載のデータ転送システムは、送信するパケット内のヘッダ情報に前記パケットの信号部に施されるエラー訂正情報の情報長とパケット生成バッファ内の情報列の順番情報およびＭ系列等のランダム生成アルゴリズム係数情報を挿入することで、受信側で前記パケットを受信した際にヘッダ内のエラー訂正情報長に基づいてエラー訂正処理を施したシステムを提供するものである。
【００２１】
本発明の請求項８に記載のデータ転送システムは、受信側でエラー訂正処理を施す際、エラー検出で検出されたデータに付加情報を示すフラグを設け、再生時に周辺の相関性の高い情報から補間することにより、画像や音声等の等時性データ転送のような再送要求を頻繁に受け付けないシステムにおいても、品質劣化を極力抑えたシステムを提供するものである。
【００２２】
以下、本発明の実施の形態について、図面を参照して説明する。
【００２３】
（実施の形態１）
本発明の実施の形態１について図１を用いて説明する。図１（ａ）は一般的な無線フレームのパケット構造を示す図、（ｂ）は本発明の実施の形態１における無線データ転送システムの無線フレームのパケット構造を示す図である。
【００２４】
図１（ａ）において、１０１はプリアンブル部で到来するフレーム信号を検出し、受信側のクロックと同期をとるのに必要な信号部である。１０２はヘッダ部で、パケット内の制御情報、たとえば送信局のアドレスや受信局のアドレス、フレームのシーケンス番号、
データ長などの情報が収められている。１０３はデータ部で、画像、音声、ファイル等の送信データが格納されている部分である。
【００２５】
一方、図１（ｂ）に示す本発明の実施の形態１における無線フレームのパケットは、図１（ａ）に示されたパケット構造のうち、データ部１０３にエラー訂正用の符号（以下、「エラー訂正符号」と称す。）１０４の情報を通信状態に応じて増減させて訂正能力に見合った情報量分を格納するとともに、エラー訂正符号１０４の情報量とデータ部１０３の情報量をヘッダ部１０２に符号長１０５として格納したものである。
【００２６】
誤り訂正符号（バイト単位のエラー訂正符号として主にはＲｅｅｄ−Ｓｏｌｏｍｏｎ符号が使われている。）データ部１０３の情報に対して２バイトの誤り訂正符号が挿入された場合、１バイトの訂正能力を有する。基本的には２バイト（位置と大きさ）で１バイトの訂正を行うこととなる。検出の場合は２バイトで２バイトの検出が可能である。しかし、１バイトでは２５５の有数制限があるため誤検出を行う場合があるので、能力全てを使うことは好ましくないとされる。
【００２７】
従って、データ部１０３の情報量に比べ、エラー訂正符号１０４は少ない情報量で訂正の能力が増すため（２バイトで１訂正または２検出）、訂正能力の向上に対するスループットの負荷はかなり低い。
【００２８】
また、パケットとパケットのギャップ、およびプリアンブル情報量の削減および、最大誤り訂正量を見越したパディング情報の付加を見越して上記無線パケットを生成しても構成は可能である。
【００２９】
上記送信側のパケット情報に対して、受信側ではパケットを受け取ったことを送信側に知らせるＡＣＫパケットを送信する。このＡＣＫパケット内に受信で誤り訂正符号を用いて計算された誤りデータの個数を埋め込み送信側に伝える。
【００３０】
送信側では送信されたパケットの受信側での通信誤りのデータ数を統計データとして蓄積し、受信の傾向から送信するパケットの誤り訂正符号の情報量（バイト数：訂正能力）を増減させることとなる。
【００３１】
以下、図２を用いて、送信側と受信側の動作について、詳しく説明する。
【００３２】
図２は本発明の実施の形態１における無線データ転送システムによる通信方法を示す説明図である。図２において、２０１は無線データの送信機、２０２は無線データの受信機である。
【００３３】
図２に示すように、本発明の実施の形態１における無線データ転送システムでは、送信データ２０３を受信機２０２で受信し、パケットヘッダ内の情報、具体的にはリードソロモン等のエラー訂正符号１０４の情報量に基づいてパケット内のデータに対してエラー訂正処理を行う。このとき、エラー訂正の範囲内のエラーの個数をカウントし、このエラーの個数を蓄積する。そして、送信機２０１に対して送信する受信確認信号（ＡＣＫ信号）２０４の中に定期的に前記エラーの個数情報を挿入する。これにより、送信機２０１側で前記エラーの個数情報を受信し、エラーの状況、つまり電波環境が確認できる。送信機２０１側では、このエラーの個数情報を元に、エラー訂正能力の増減、つまりエラー訂正符号１０４を制御する。
【００３４】
このように、送信機２０１側で受信機２０２側の無線通信状態をリアルタイムに確認できるため、少ない情報量でエラー訂正処理が可能なリードソロモン符号化処理等を用いて
、エラーの状態に対応したエラー訂正処理が実現でき、無線通信の欠点である不安定な通信状態にもデータレートの低減なく通信を行うことができる。また、エラー訂正符号１０４の情報量の増減は、無線パケットと無線パケットとの通信間隔のギャップ期間で十分吸収可能な時間間隔の情報量に抑えることが可能である。また、送信側のエラー訂正符号１０４の制御については、受信機２０２側のエラー発生状況をパラメータとして強化するとともに、受信機２０２側の受信感度をもとに制御することも可能である。また、エラー訂正符号１０４の情報量とともに送信機２０１側のデータ送信パワーを制御して、エラー耐性を強化することも可能である。
【００３５】
（実施の形態２）
図３（ａ）は本発明の実施の形態２における無線データ転送システムのパケット情報配列を示す図である。
【００３６】
送信側での無線パケットの生成については、時系列的なデータをＭ系列等のランダムなアドレス体系、例えば図３（ａ）に示すようにＸ，Ｙ方向にランダムに入力する。ここで、図３（ａ）の一時バッファは、横方向が無線パケットのデータ部、縦方向が無線パケット数に相当する。また、エラー訂正符号１０４については、図３の横方向、縦方向にそれぞれ符号データを割り当て、ランダムエラーおよびバーストエラーに対する復調側の耐性を強化した構成である。
【００３７】
図３（ｂ）は本発明の実施の形態２における無線データ転送システムのパケット情報配列（送信側）を示す図である。
【００３８】
このエラー訂正符号化一時バッファの情報格納部に時系列的に送られた情報データをランダムな順序で配列し、縦横にエラー訂正用コードを挿入する。この一時バッファの各行データを無線フレームのパケットのデータ部１０３とエラー訂正符号１０４へ格納し、送信する。
【００３９】
図３（ｃ）は本発明の実施の形態２における無線データ転送システムのパケット情報配列（受信側）を示す図である。
【００４０】
受信側では、送信側と同様なエラー訂正用一時バッファに無線フレームのパケットのデータ部１０３とエラー訂正符号１０４を格納し、縦横にエラー訂正を行う。受信側でランダムに並べられた配列の逆の順序でデータをシーケンシャルに並べ替えることで、バースト状に連なるデータがばらけてランダムデータとして配列されるため、アプリケーション側に渡るデータとしてエラーの集中を避ける効果がある。
【００４１】
図４に本発明の実施の形態２における無線データ転送システムの送信受信におけるエラー訂正符号１０４の制御についてのフローチャートを示す。
【００４２】
まず、送信側で符号化され、無線フレームのパケットとして送られたデータを受信側で受信し復調する（ＳＴＥＰ１）。
【００４３】
受信側では無線フレームのパケットのヘッダ部１０２内に書かれたパケットのデータ部１０３の符号長１０５からエラー訂正の範囲（バイト情報量）を読み取り、本無線フレームのパケットのエラー訂正処理を行う（ＳＴＥＰ２）。
【００４４】
続いて、エラー訂正処理でのエラー個数をカウントし（ＳＴＥＰ３）、無線パケットごとに記憶しておく（ＳＴＥＰ４）。
【００４５】
受信側から送信側へデータ受信確認信号を送信する際、受信確認データ中にエラー個数情報を添付し（ＳＴＰＥ５）、送信する。データ送信側では、この受信側のエラー個数情報を計数し（ＳＴＥＰ６）、そのヒストグラム分布から、電波通信状況を把握するとともに、次回の一時バッファ内のエラー訂正能力に匹敵するエラー訂正符号１０４の情報量を決定し、エラー訂正符号化を行う（ＳＴＥＰ７）。
【００４６】
このように、時間的に変化する電波状況を受信側のエラー個数の状況を受信確認情報（ＡＣＫ信号）とともに通信して把握することにより、通信状況にあったエラー訂正能力の強化とエラーの性質（ランダム、バースト）に対応したエラー訂正符号配列が行える。
【００４７】
（実施の形態３）
図５は本発明の実施の形態３における無線データ転送システムのパケット情報配列を示す図である。
【００４８】
図５において、受信側で受信されたパケットデータをエラー訂正用バッファに配列し、エラー訂正処理を施したのち、エラー訂正処理できなかったデータに対してエラーの位置に相当するデータにエラーであることを示すフラグを挿入して時系列的に並ぶ情報へ再配列させる。ここで、エラーフラグが立つデータに関しては、音声や画像データの場合、相関性の高い周辺のデータに基づいてデータ補間処理を行い、人間の感覚上目立たないデータに置き換える。
【００４９】
このように、縦横の二重にエラー訂正処理を施してもエラー訂正処理できなかったデータに対しても、ランダム配列によるバーストデータのランダム配列化とエラーデータフラグを用いて、周辺の正常なデータからデータ補間が行えるため、画像、音声のような再送要求に制限のあるリアルタイム通信においても、データ品質を人間の感覚上損なうことなく、補間処理にて容易に対応することができる。
【００５０】
上記本発明の実施の形態１、２、３に示すエラー訂正処理および補間処理については、画像や音声といった通信の時間に制約のあるリアルタイム通信において、エラー訂正処理ができなかったデータについては補間処理を施すことで人間の感覚に目立たないデータの置き換えが容易である。また、データ通信および画像音声においては、圧縮されたデータ等情報エラーが広い範囲に影響を及ぼす性質の異なる２種類のデータに対して、受信側でのエラー訂正符号の情報量をモニタすることで、送信側でのエラー耐性用コードの付加を把握することが可能となる。
【００５１】
以上のように、本発明のデータ転送システムは、無線通信の可搬性に富む便利なデータ通信方式の欠点である、時々刻々変化する電波環境に対して、受信側でのエラー情報を元に、受信確認情報（ＡＣＫ信号）の中に定期的にエラーのモニタ情報を挿入することにより、送信側でエラーの発生状況に応じたエラー訂正能力の強化をリアルタイムに行えるため、家庭内ネットワークを構築する際、画像、音声のリアルタイム通信に対して、データスループットの低減を維持しつつ、エラーによる品質劣化を最小限に食い止め、安定した通信を確保できる。また、ＰＣのファイル等、エラーの発生に対して致命的なものに関しても、再送によるデータスループットの低減を極力排除し、安定したデータ通信が行える。
【００５２】
さらに、本発明は無線データ転送システムに関するものであるが、家庭内にある画像、音声等のパッケージメディア（ＣＤ等）に限定するものでなく、デジタル放送等のリアルタイム通信や電話等の双方向性リアルタイム通信であってもよい。また、エラー訂正についても、訂正のみの処理に限定するものではなく、エラー検出との混合、または縦横のエラー訂正による検出、訂正の混合や一方向での訂正、検出の混合でも構わないことは言う
までもなく、訂正と検出の情報数を規定するものでもない。
【産業上の利用可能性】
【００５３】
本発明のデータ転送システムは、携帯電話や無線ＬＡＮ用の電子機器、家庭内データ配信装置（ＳＴＢ）はもとより、画像、音声、データ、電話等を無線で配信するシステムに有用である。
【図面の簡単な説明】
【００５４】
【図１】（ａ）一般的な無線フレームのパケット構造を示す図、（ｂ）本発明の実施の形態１における無線データ転送システムの無線フレームのパケット構造を示す図
【図２】本発明の実施の形態１における無線データ転送システムによる通信方法を示す説明図
【図３】（ａ）本発明の実施の形態２における無線データ転送システムのパケット情報配列を示す図、（ｂ）本発明の実施の形態２における無線データ転送システムのパケット情報配列（送信側）を示す図、（ｃ）本発明の実施の形態２における無線データ転送システムのパケット情報配列（受信側）を示す図
【図４】本発明の実施の形態２における無線データ転送システムの送信受信におけるエラー訂正符号１０４の制御フローチャート
【図５】本発明の実施の形態３における無線データ転送システムのパケット情報配列を示す図
【図６】従来のワイヤレス再生装置のブロック図
【符号の説明】
【００５５】
１０１    プリアンブル部
１０２    ヘッダ部
１０３    データ部
１０４    エラー訂正符号
１０５    符号長
２０１    送信機
２０２    受信機
２０３    送信データ
２０４    受信確認信号
６０１    再生装置
６０２    リモートコントロール装置
６０３    テープ駆動手段
６０４    本体制御手段
６０５    テープ
６０６    増幅器
６０７    Ａ／Ｄコンバータ
６０８    送信データレート変換手段
６０９    データ送信手段
６１０    制御コード判別手段
６１１    コード受信手段
６１２    受信アンテナ
６１３    送信アンテナ
６１４    ヘッドホン
６１５    受信フィルタ
６１６    狭帯域フィルタ
６１７    低速受信データ復調手段
６１８    受信データ復調手段
６１９    送信フィルタ
６２０    コード送信手段
６２１    受信感度検出手段
６２２    切換スイッチ
６２３    Ｄ／Ａコンバータ
６２４    パワーアンプ
６２５    コード化処理手段
６２６    操作部
【図１】
2005303495.tif 000003
【図２】
2005303495.tif 000004
【図３】
2005303495.tif 000005
【図４】
2005303495.tif 000006
【図５】
2005303495.tif 000007
【図６】
2005303495.tif 000008